(57)【要約】      （修正有）【課題】使用済みフィルタに手で触れることなく、また回収された濾過物の拡散を防止して、使用済みフィルタを交換できる、簡易かつ低廉の濾過装置ユニットを提供する。【解決手段】フィルタ３ｂを補充する挿入孔２ｎ及び開閉式の第一蓋２ｅと使用済みフィルタ３ａを取り出す排出孔２ｐ及び第二蓋２ｆを備え、フィルタ３ｂを収納し、吸入ダクト及び排出ダクトに接続され、吸入ダクトから被処理気体を取り入れ、フィルタ３ｂで濾過対象物を濾過し、清浄化気体として排出ダクトから排出する本体２と、使用済みフィルタ３ａを取り入れる回収口１０ｆ及び開閉式の蓋１０ｂを備える内部中空の回収ボックス１０と、からなり、回収ボックス１０の回収口１０ｆと本体２の排出孔２ｐを当接して連結部６を形成して回収ボックス１０を本体２に接続し、挿入孔２ｎから新しいフィルタ３ｂを挿入しつつ、使用済みフィルタ３ａを排出孔２ｐから排出して回収口１０ｆから回収ボックス１０内に押し出す。【選択図】図２
0003199528.tif 000002
【実用新案登録請求の範囲】
【請求項１】
使用済みフィルタの交換に際して、使用済みフィルタに手で触れることなく、また回収された濾過物の拡散を防止して、使用済みフィルタを交換することができる濾過装置ユニットであって、
フィルタを補充する挿入孔及び前記挿入孔を覆う開閉式の第一蓋と使用済みフィルタを取り出す排出孔及び前記排出孔を覆う第二蓋を備え、前記フィルタを収納し、吸入ダクト及び排出ダクトに接続され、前記吸入ダクトから被処理気体を取り入れ、前記フィルタで濾過対象物を濾過、回収するとともに清浄化気体として前記排出ダクトから排出する本体と、
前記使用済みフィルタを取り入れる回収口及び前記回収口を覆う開閉式の蓋を備える内部中空の回収ボックスと、
からなり、
前記回収ボックスの回収口と前記本体の排出孔を当接して連結部を形成して前記回収ボックスを前記本体に接続し、
前記本体の挿入孔から新しいフィルタを挿入しつつ、
前記新しいフィルタで前記使用済みフィルタを前記排出孔から排出して前記回収口から前記回収ボックス内に押し出すことを特徴とする
濾過装置ユニット。
【請求項２】
前記本体の排出孔及び前記回収ボックスの回収口の周囲にパッキンを備え、
前記使用済みフィルタの回収時に、
前記本体と回収ボックスの連結の際に当接し、
前記連結部の気密性を高めることを特徴とする請求項１に記載の濾過装置ユニット。
【請求項３】
前記フィルタが、前記本体内に斜めに配置されたレールの上に載置、固定され、
前記回収ボックスの上端が斜めに切断されて前記回収口が形成され、
前記回収ボックスの底部を設置面に載置し、
前記回収ボックスの自重で、
前記本体と回収ボックスの連結部を圧着させたことを特徴とする請求項２に記載の濾過装置ユニット。
【考案の詳細な説明】
【技術分野】
【０００１】
本考案は、使用済みフィルタの交換に際して、使用済みフィルタに手で触れることなく、また回収された濾過物の拡散を防止して、使用済みフィルタを交換することができる、主に空気等の気体用の濾過装置ユニットに関する。
【背景技術】
【０００２】
家庭用空気清浄機であれば、フィルタは一般に取り外し掃除して再利用される。なかには自動清掃機能を備え、手で触れることなく再生されて使用されるものもある。他方、工業用の大スケールの場合には、手動で交換することが一般である。
【０００３】
また、病院、研究室、クリーンルーム、半導体製造ライン等の空気清浄で用いられる濾過装置では、濾過物が、病原菌、毒物、有害物などを対象とすることがある。工業用でも、屋根材の粉砕、処理では、健康被害のあるアスベストも濾過対象物となる。
【０００４】
そのような濾過対象物を濾過するフィルタの使用後の交換時には、防護服、マスク、ゴーグル等の防護手段を講じた上、素手で触れることは避けなければならない。それであっても、濾過物の再拡散の問題が残る。濾過物の種類によっては、フィルタ交換の際の濾過物の作業環境への拡散防止、作業者の被ばく防止は極めて重大である。
【０００５】
他方、カートリッジ式（特許文献１等）であれば、フィルタの交換の際に回収された濾過物の再拡散、汚染の問題は解消されるものがあるが、大型化によるコスト増が問題である。
【先行技術文献】
【特許文献】
【０００６】
【特許文献１】特表２００９−５０１８５９号公報
【考案の概要】
【考案が解決しようとする課題】
【０００７】
そこで、本考案は、使用済みフィルタの交換に際して、使用済みフィルタに手で触れることなく、また回収された濾過物の拡散を防止して、使用済みフィルタを交換することができる、簡易かつ低廉の濾過装置ユニットを提供することを目的とする。
【課題を解決するための手段】
【０００８】
本考案は、上記の課題を解決するために、
（１）
使用済みフィルタの交換に際して、使用済みフィルタに手で触れることなく、また回収された濾過物の拡散を防止して、使用済みフィルタを交換することができる濾過装置ユニットであって、
フィルタを補充する挿入孔及び前記挿入孔を覆う開閉式の第一蓋と使用済みフィルタを取り出す排出孔及び前記排出孔を覆う第二蓋を備え、前記フィルタを収納し、吸入ダクト及び排出ダクトに接続され、前記吸入ダクトから被処理気体を取り入れ、前記フィルタで濾過対象物を濾過、回収するとともに清浄化気体として前記排出ダクトから排出する本体と、
前記使用済みフィルタを取り入れる回収口及び前記回収口を覆う開閉式の蓋を備える内部中空の回収ボックスと、
からなり、
前記回収ボックスの回収口と前記本体の排出孔を当接して連結部を形成して前記回収ボックスを前記本体に接続し、
前記本体の挿入孔から新しいフィルタを挿入しつつ、
前記新しいフィルタで前記使用済みフィルタを前記排出孔から排出して前記回収口から前記回収ボックス内に押し出すことを特徴とする
濾過装置ユニット。
（２）
前記本体の排出孔及び前記回収ボックスの回収口の周囲にパッキンを備え、
前記使用済みフィルタの回収時に、
前記本体と回収ボックスの連結の際に当接し、
前記連結部の気密性を高めることを特徴とする（１）に記載の濾過装置ユニット。
（３）
前記フィルタが、前記本体内に斜めに配置されたレールの上に載置、固定され、
前記回収ボックスの上端が斜めに切断されて前記回収口が形成され、
前記回収ボックスの底部を設置面に載置し、
前記回収ボックスの自重で、
前記本体と回収ボックスの連結部を圧着させたことを特徴とする（２）に記載の濾過装置ユニット。
とした。
【考案の効果】
【０００９】
本考案である濾過装置ユニットは、上記構成であるので、使用済みフィルタの交換に際して、使用済みフィルタに手で触れることなく、またフィルタに回収された濾過物の拡散を防止して、作業環境、作業者への汚染なく、使用済みフィルタを交換することができる。
【００１０】
本体と回収ボックスの連結部に、パッキンを備えることでフィルタ交換時の気密性が高まる。また、回収ボックスの底部を設置面に当接させ、回収ボックスを斜めに本体に接続することで、回収ボックスの自重で連結部を押圧することで、連結部の気密性がさらに高まる。
【図面の簡単な説明】
【００１１】
【図１】本考案である濾過装置ユニットの部分透視斜視模式図で、（Ａ）は本体の使用時の部分透視斜視模式図、（Ｂ）は回収ボックスの部分透視斜視模式図である。
【図２】本考案である濾過装置ユニットのフィルタ交換動作の説明図である。（Ａ）は本体と回収ボックスを接続し、新しいフィルタを本体に補充する準備段階の部分透視模式図である。（Ｂ）は新しいフィルを本体に補充しながら、使用済みフィルタを回収ボックスに押し出す様子を示す部分透視模式図である。
【図３】本考案である濾過装置ユニットのフィルタ交換動作の説明図である。（Ａ）は使用済みフィルタが回収ボックスに回収された様子を示す部分透視模式図である。（Ｂ）はフィルタ交換が完了し、濾過運転を開始する前の本体の状態を示した部分透視模式図、及び使用 である。この後、図１（Ａ）に示すように被処理気体を挿通し、濾過運転を再開する。
【考案を実施するための形態】
【００１２】
以下、添付の図面を参照し、本考案の実施の形態の一例について詳細に説明する。なお、本考案は下記実施例に限定されるものではない。
【実施例１】
【００１３】
図１に示すように、本考案である濾過装置ユニット１は、フィルタ３を収納し、ダクトに接続され被処理気体５を通し、フィルタ３で濾過対象物を濾過、回収し、清浄化気体５ａとして放出、供給する本体２と、使用済みフィルタ３ａを濾過物の拡散なく回収するための回収ボックス１０とからなる。なお、本発明は、被処理気体５の他、液体から濾過対象物をフィルタで濾過、回収する場合にも使用できる。
【００１４】
濾過物としては、空気中に浮遊する病原菌、ウィルス、毒物、有害物、微小なゴミ・埃、アスベスト、花粉、木屑、ＰＭ２．５、その他、環境、人体、工業ラインに不都合な物質である。
【００１５】
被処理気体５としては、病院、研究室、クリーンルーム、半導体製造ライン等の高い清浄化度を求められる環境に送り込まれる清浄化気体５ａの気体源で、濾過物を濾過する前の求める清浄度を満たさない気体である。被処理気体５は、濾過装置ユニット１の本体２を通過することで、濾過対象物がフィルタ３で除去され、高い清浄化度を必要とする環境に清浄化気体５ａとして供給される。
【００１６】
本体２は、フィルタ３を収納し、被処理気体５を通し濾過し、清浄化気体５ａとして放出、供給する箱体２ａと、箱体２ａの底部に備えられ箱体２ａの高さ調節となる脚２ｂとからなる。被処理気体５を箱体２ａに吸引するため、吸入ダクト４に送風機又は排出ダクト４ａに吸引ポンプを設ける（図示省略）。
【００１７】
箱体２ａは、
濾過対象物を含む被処理気体５を箱体２ａに導入する吸入ダクト４を接続する吸入口２ｃと、
濾過対象物が除去された清浄化気体５ａを箱体２ａから所望環境に放出する排出ダクト４ａを接続する排出口２ｄと、
フィルタ３（新しいフィルタ３ｂ）を挿入する挿入孔２ｎと、
挿入孔２ｎを覆う開閉式の第一蓋２ｅと、
フィルタ３（使用済みフィルタ３ａ）が押し出される排出孔２ｐと、
排出孔２ｐを覆う開閉式の第二蓋２ｆと、
箱体２ａ内部でフィルタ３を位置させるとともに、新しいフィルタ３ｂの挿入、使用済みフィルタ３ａの押し出し排出のとき、スライドさせるレール２ｇと、
内部フィルタ３の両側面に当接するガイド２ｈ、２ｈと、
ガイド２ｈ、２ｈを前進後退させるハンドル２ｉ、２ｉと、
を備える。
【００１８】
レール２ｇが、箱体２ａ内に斜めに配置されることで、フィルタ３がスライド移動しやすく、回収ボックス１０への回収もスムーズになる。ハンドル２ｉを締めることでガイド２ｈがフィルタ３を締め付けてフィルタ３を位置固定し、フィルタ３を挿入、回収するときにはハンドル２ｉをゆるめることでフィルタ３がレール２ｇ上をスライド可能になる。
【００１９】
第二蓋２ｆは、一辺を蝶番２ｒ等で開閉可能に箱体２ａに固定され、閉時は留具２ｑで他辺側も箱体２ａに留具２ｑで固定される。フィルタ３の交換時には、作業者が取っ手２ｓを掴み、第二蓋２ｆを開閉する。排出孔２ｐを取り囲むようにパッキン２ｍが備えられ、第二蓋２ｆと箱体２ａ又は回収ボックス１０との気密性を確保する。第一蓋２ｅも、パッキンなどで、第二蓋２ｆ同様に第一蓋２ｅと箱体２ａとの気密性が確保される。
【００２０】
箱体２ａの排出孔２ｐ上方には、ネジ受け２ｋが埋設され、回収ボックス１０の蓋１０ｂを留具２ｑ等で固定して、箱体２ａと回収ボックス１０を連結保持する。
【００２１】
回収ボックス１０は、上部に回収口１０ｆを有し、新しいフィルタ３ｂで本体２の排出孔２ｐから押出された使用済みフィルタ３ａを、密閉状態で回収口１０ｆを通して収納する容器１０ａと、回収口１０ｆを覆い開閉可能な蓋１０ｂと、回収口１０ｆを囲むように容器１０ａの上端の縁に備えられた枠状のパッキン１０ｄと、容器１０ａの底部に設けられ、回収ボックス１０を直立可能にする脚１０ｅとからなる。
【００２２】
容器１０ａは、フィルタ３の形状に応じて、フィルタ３をすっぽり収納できる形状とすれば形状は特に限定されない。回収ボックス１０の上端は斜めに切断され、回収口１０ｆが形成され、回収ボックス１０の底部（脚１０ｅ）を設置面に載置し、回収ボックス１０の自重を回収口１０ｆにかけ、箱体２ａと回収ボックス１０を圧着させることで、連結部６の気密性がより高まる。
【００２３】
蓋１０ｂは、一辺を蝶番等（図示省略）で容器１０ａ上部に固定し、取っ手１０ｇを掴み、作業者がフィルタ３の交換時に開閉する。留具１０ｈは、蝶ネジなどで、蓋１０ｂの上面につまみがあり、容器１０ａの上端に螺合し、蓋１０ｂを容器１０ａに施錠に使用される。持ち手１０ｉは、回収ボックス１０の移動の際に手で持つ部分である。
【００２４】
また、蓋１０ｂにはネジ穴１０ｃが穿設され、使用済みフィルタ３ａを回収する際に、回収ボックス１０を箱体２ａに連結する留具２ｑを通す。留具２ｑは、本体２の稼働時には第二蓋２ｆの閉状態の保持に使用し、使用済みフィルタ３ａの回収時には、箱体２ａと回収ボックス１０の連結のため、蓋１０ｂを箱体２ａに連結するために使用する。
【００２５】
次に、図２、図３を参照して、新しいフィルタ３ｂの本体２への充填、充填に伴う使用済みフィルタ３ａの回収ボックス１０への密閉回収について説明する。
【００２６】
先ず、図２（Ａ）に示すように、箱体２ａの第二蓋２ｆを開き、回収ボックス１０の蓋１０ｂを開き、箱体２ａのネジ受け２ｋに蓋１０ｂのネジ穴１０ｃを一致させた上で、留具２ｑをネジ穴１０ｃに通し、ネジ受け２ｋに螺合する。これにより箱体２ａと回収ボックス１０とが連結し、箱体２ａの排出孔２ｐと回収ボックス１０の回収口１０ｆが連通し、パッキン２ｍとパッキン１０ｄが当接し、連結部６を形成する。この連結部６は、留具２ｑによる連結、パッキン２ｍ、１０ｄの密着及び回収ボックス１０の自重で気密性が保持される。
【００２７】
次に、ハンドル２ｉをゆるめ、ガイド２ｈでの使用済みフィルタ３ａの締め付けを開放する。続いて、第一蓋２ｅを開き、挿入孔２ｎから新しいフィルタ３ｂを箱体２ａに挿入して補充する。
【００２８】
新しいフィルタ３ｂを挿入孔２ｎから箱体２ａ内に挿入することで、図２（Ｂ）に示すように、使用済みフィルタ３ａはレール２ｇ上を滑り、排出孔２ｐ、回収口１０ｆから形成される連結部６を通り、回収ボックス１０内に押し込まれる。
【００２９】
次に、図３（Ａ）に示すように、新しいフィルタ３ｂの箱体２ａ内への補填が完了したら、第一蓋２ｅを閉じる。そして、ハンドル２ｉを締め、ガイド２ｈで再び、新しいフィルタ３ｂを箱体２ａ内に固定する。
【００３０】
その後、留具２ｑを外し、箱体２ａと回収ボックス１０の連結を解除して、箱体２ａの第二蓋２ｆを閉じ、留具２ｑで第二蓋２ｆを固定し、密封する。回収ボックス１０の蓋１０ｂを閉じる。なお、回収ボックス１０は、脚１０ｅで起立できる。この後、図１（Ａ）のように、被処理気体５を箱体２ａに通し、濾過を開始することができる。このように、使用済みフィルタ３ａの交換に際して、濾過物が付着した使用済みフィルタ３ａに触れることなく、交換、回収することができる。また、環境に暴露される時間、部分も極めてすくないため、濾過物の作業環境への拡散はほとんどない。なお、回収された使用済みフィルタ３ａは、従来法、常法に応じて、処分、再生等する。
【符号の説明】
【００３１】
１      濾過装置ユニット
２      本体
２ａ    箱体
２ｂ    脚
２ｃ    吸入口
２ｄ    排出口
２ｅ    第一蓋
２ｆ    第二蓋
２ｇ    レール
２ｈ    ガイド
２ｉ    ハンドル
２ｋ    ネジ受け
２ｍ    パッキン
２ｎ    挿入孔
２ｐ    排出孔
２ｑ    留具
２ｒ    蝶番
２ｓ    取っ手
３      フィルタ
３ａ    使用済みフィルタ
３ｂ    新しいフィルタ
４      吸入ダクト
４ａ    排出ダクト
５      被処理気体
５ａ    清浄化気体
６      連結部
１０    回収ボックス
１０ａ  容器
１０ｂ  蓋
１０ｃ  ネジ穴
１０ｄ  パッキン
１０ｅ  脚
１０ｆ  回収口
１０ｇ  取っ手
１０ｈ  留具
１０ｉ  持ち手
【図１】
0003199528.tif 000003
【図２】
0003199528.tif 000004
【図３】
0003199528.tif 000005